(57)【要約】【課題】  手前側の貯蔵物品の取り出しを容易にした物品貯蔵庫を簡便安価な構成により提供する。【解決手段】  物品貯蔵庫１００は引出型の貯蔵室８１Ｂに物品を貯蔵する。貯蔵室８１Ｂの前蓋部分８１Ｂ１を前傾開き動作が可能な扉８１Ｂｘで構成する。前傾開き動作の支点ｐ１とロック機構８１Ｋを扉８１Ｂｘの背面に配置する。ロック機構８１Ｋは扉８１Ｂｘの背面の掛け爪Ｋ１を引出部分ＷＤ１に配置した掛け穴Ｋ２にばねの弾力で入れ込んで前傾開きを閉じたθ１＝０°の状態に保持する。ハンドル８１ｇ２の左右中央位置ｓ１に配置した操作部分ｗ１で掛け爪Ｋ１を掛け穴Ｋ２から引き抜いてロックを外すことにより前傾開き動作を行う。ロック機構８１ＫをＪ字形フックと逆Ｊ字形フックとを対向させた構成にして逆Ｊ字形フックを操作部分ｗ１で内側に引いてロックを外すことにより前傾開き動作を行わせるように構成することもできる。【選択図】        図１
2005049031.tif 000002
【特許請求の範囲】
【請求項１】
物品を貯蔵するための引出型の貯蔵室を有する物品貯蔵庫であって、
前記貯蔵室の前蓋部分を前傾開き動作が可能な扉で構成するとともに、前記前傾開き動作の操作部分を前記扉に設けたハンドルに配置する前傾開き操作手段と、
前記扉の背面の下方側に前記前傾開き動作の支点を設けるとともに、前記支点よりも上方の前記扉の背面と、前記貯蔵室の引出部分との間に、前記扉を閉じた状態に保持するためのロック機構を設けるロック機構配置手段と、
前記操作部分の操作にもとづいて、前記扉の背面に配置した前記ロック機構のロック解除用部材を動作させることにより前記保持を解除するロック解除手段と
を具備することを特徴とする物品貯蔵庫。
【請求項２】
前記扉の背面に配置した掛け爪を弾力によって前記引出部分に配置した掛け穴に入れ込むことにより前記保持を行うとともに、前記弾力に抗して前記掛け爪を前記掛け穴から引き抜くことにより前記保持を解除する構成の前記ロック機構を設けることによって前記掛け爪を前記ロック解除用部材としたことを特徴とする請求項１記載の物品貯蔵庫。
【請求項３】
前記掛け爪の背面側に設けた第１の傾斜面により前記掛け爪を前記掛け穴に案内するとともに、前記掛け爪の前面側に設けた第２の傾斜面により前記掛け爪を前記掛け穴に入れ込むことにより、前記弾力によって前記掛け穴を構成する部材の前面部分を前記扉の背面部分に押し付けながら前記保持を行う構成を設けたことを特徴とする請求項２記載の物品貯蔵庫。
【請求項４】
前記扉の背面に配置した移動側フックの鉤部分を弾力によって、前記引出部分に配置した固定側フックの鉤部分に入れ込むことにより前記保持を行うとともに、前記弾力に抗して、前記移動側フックの鉤部分を前記固定側フックの鉤部分から離脱させることにより前記保持を解除する構成の前記ロック機構を設けることによって前記移動側フックを前記ロック解除用部材としたことを特徴とする請求項１記載の物品貯蔵庫。
【請求項５】
前記移動側フックを逆Ｊ字形フックに形成し、前記固定側フックをＪ字形フックに形成して、前記Ｊ字形フックの前面部分と前記扉の背面部分との間に抗圧縮性の弾力をもつ弾力用部材を設けることにより、前記抗圧縮性の弾力によって前記Ｊ字形フックの鉤部分を前記逆Ｊ字形フックの鉤部分に押し付けながら前記保持を行う構成を設けたことを特徴とする請求項４記載の物品貯蔵庫。
【発明の詳細な説明】
【技術分野】
【０００１】
この発明は、物品を貯蔵するための引出型の貯蔵室を有する物品貯蔵庫に関するものである。なお、この発明において、物品貯蔵庫とは、物品をそのまま貯蔵する貯蔵室型の貯蔵室、または、物品を冷却もしくは加温して貯蔵する貯蔵室を有する貯蔵庫などの総称である。
【０００２】
また、上記の冷却には、冷却対象とする物品を凍結させない状態の所定の温度に冷却する構成、すなわち、一般に冷蔵と言われるものと、冷却対象とする物品を凍結させるように冷却する構成、すなわち、一般に冷凍と言われるものと、後者の凍結を不完全な冷凍状態に冷却する構成、すなわち、弱冷凍と言われるものとがある。
【０００３】
そして、この発明では、これらの冷却のうちの１つの冷却、または、これらのうちの任意の複数の冷却を組み合わせた冷却を総称して冷却というのである。したがって、これらの冷蔵・冷凍・弱冷凍の構成のうちの１つの構成、または、これらのうちの任意の複数の構成を組み合わせた構成をもつ冷却庫は、物品貯蔵庫の一種に属することになるものである。
【背景技術】
【０００４】
こうした物品貯蔵庫の構成として、図５・図６のような冷却機能をもつ物品貯蔵庫１００の構成（以下、第１従来技術という）が周知である。なお、以下に説明する各図において、同一の符号で示す部分は、いずれかの図によって説明する同一符号の部分と同一の機能をもつ部分である。また、この発明において、部材とは、所定の部分を構成する単一の構成材、または、複数の構成材を組み合わせた構成材をいうものである。
【０００５】
図５・図６において、物品貯蔵庫１００は、本体９０、すなわち、断熱外箱と適宜に設けられた各仕切壁部分９１Ａ・９１・９２Ａによって仕切られた複数の貯蔵室８１Ａ・８１Ｂ・８２Ａ・８２Ｂによって構成されている。
【０００６】
貯蔵室８１Ａには、比較的に取出頻度の多い飲物・加工食品などの物品を冷蔵による冷却を行ないながら貯蔵する。貯蔵室８１Ｂには、比較的に取出頻度の少ない野菜類などの物品を冷蔵による冷却を行いながら貯蔵する。冷凍室８２Ａには、刺身用魚肉類などを弱冷凍による冷却を行いながら貯蔵する。凍室８２Ｂには、冷凍食品類などを冷凍を行いながら貯蔵する。
【０００７】
また、物品の出し入れは、貯蔵室８１Ａは前側の開閉扉８１Ａ１を開閉して行い、貯蔵室８１Ｂは前蓋８１Ｂ１とともに引き出せる引出によって行い、貯蔵室８２Ａは前蓋８２Ａ１とともに引き出せる引出によって行い、貯蔵室８２Ｂは前蓋８２Ｂ１とともに引き出せる引出によって行う。
【０００８】
なお、本体９０・各仕切壁部分９１Ａ・９１・９２Ａ・開閉扉８１Ａ１・前蓋８１Ｂ１・前蓋８２Ａ１・前蓋８２Ｂ１などの断熱を要する部分は外面側を薄い鋼板で形成するとともに、内部に断熱材、例えば、発泡ポリウレタンなどを充填している。
【０００９】
各貯蔵室８１Ａ・８１Ｂ・８２Ａ・８２Ｂの内部は、例えば、図８のように、種々の引出箱や棚を設けて構成してあり、各内部は、例えば、圧縮冷媒による冷凍サイクルによって冷却している。
【００１０】
この冷却は、貯蔵室８１Ａ・８１Ｂ内の空気は、冷却器２１、例えば、圧縮冷媒の蒸発器により冷却された後に送風機６１により加勢されて、実線で示す各流路を通って貯蔵している物品を冷却し、点線で示す流路を通って冷却器２１に戻るという循環を繰り返す。
【００１１】
また、貯蔵室８２Ａ・８２Ｂ内の空気は、冷却器２２、例えば、圧縮冷媒の蒸発器により冷却された後に送風機６２により加勢されて、実線で示す各流路を通って貯蔵している物品を冷却し、点線で示す流路を通って冷却器２２に戻るという循環を繰り返す。
【００１２】
そして、各貯蔵室８１Ａ・８１Ｂ・８２Ａ・８２Ｂには、図５・図６の各〔グリップハンドル型〕のように、ハンドルを手で握って操作できるようにした構造のグリップハンドル８１ｇ１・８１ｇ２・８２ｇ１・８２ｇ２を設けた構成のものと、図５・図７の〔引っ掛けハンドル型〕のように、ハンドルに手先のみを入れて操作できるようにした構造の引っ掛けハンドル８１ｈ１・８１ｈ２・８２ｈ１・８２ｈ２を設けた構成のものとが周知である。
【００１３】
なお、グリップハンドルは把手とも呼ばれ、また、引っ掛けハンドルは引手とも呼ばれている。なお、この発明において、ハンドルとは、上記のグリップハンドル・引っ掛けハンドルのほか、他の形式のハンドル、例えば、キノコ形のハンドルなどを含むハンドルの総称をいうものである。
【００１４】
ここで、この発明における引出型の貯蔵室とは、例えば、上記の貯蔵室のうちの物品の出し入れを引出によって行うようにした各貯蔵室８１Ｂ・８２Ａ・８２Ｂような貯蔵室をいい、物品貯蔵庫とは、そうした貯蔵室を１つまたは複数設けたもの、または、そうした貯蔵室と、他の開閉構造、例えば、貯蔵室８１Ａのような扉による開閉構造をもつものとを併設したものをいうものである。
【００１５】
そして、引出型の各貯蔵室８１Ｂ・８２Ａ・８２Ｂの引き出しと入れ込みの動作は、例えば、貯蔵室８１Ｂを例にして説明すると、図８のように、本体９０の側面側の壁部９０Ａの内側にレール溝Ｒ１とローラＲ２とを設けておき、前蓋８１Ｂ２の引き出し操作によって引き出される引出部分ＤＷ１に設けたレールＲ３の下縁をローラ２の上に乗せて案内するとともに、引出部分ＤＷ１に設けたローラＲ４をレール溝Ｒ１に入れ込んで案内するように構成している。他の各貯蔵室８２Ａ・８２Ｂも、ほぼ同様の構成により、引き出しと入れ込みとが行えるように構成している。
【００１６】
上記の第１従来技術の構成による引出型の貯蔵室、例えば、貯蔵室８１Ｂを例にして説明すると、貯蔵室８１Ｂの中の前側の部分に物品を出し入れする際にも、図８のように、引出部分を半引き出し状態に引出さなければならない。
【００１７】
このため、冷却機能をもつ貯蔵室の場合には、引き出した部分から外気が入り込んで、内部を加温し、加温機能をもつ貯蔵室の場合には、逆に冷却されてしまうという不都合が生ずる。なお、他の貯蔵室８２Ａ・８２Ｂにも、同様のことが生ずる。
【００１８】
また、物品をそのまま貯蔵する貯蔵室の場合には、小物の物品と大物の物品とが１つの引出箱の中に入れ込まれるので、小物の物品が大物の物品にまぎれ込んでしまうという不都合が生ずる。
【００１９】
このため、図９のように、例えば、貯蔵室８１Ｂの中に、手前側には奥行Ｄ１の小さい小箱８１ｂ１を、また、奥側には奥行Ｄ２の大きい大箱８１ｂ２を配置した構成の貯蔵室をもつ貯蔵庫の構成（以下、第２従来技術という）が提案されている。なお、冷却機能をもつ貯蔵庫の場合には、小箱８１ｂ１にペットボトル入りの飲料などを入れる場合もある。
【特許文献１】特開２００１−２８０７９０号公報（特許文献１は第１従来技術を開示している。）
【特許文献２】特開２００２−１５６１８３号公報（特許文献２は第２従来技術を開示している。）
【発明の開示】
【発明が解決しようとする課題】
【００２０】
上記の第２従来技術による物品貯蔵庫１００でも、図９の〔半引き出し状態〕にして手前側のものを取り出すためには、小箱８１ｂ１の奥行Ｄ１の分だけは引き出さなければならないので、冷却機能・加温機能をもつ貯蔵室の場合には、引き出した奥行Ｄ１の下方から上方に通り抜ける外気によって加温・冷却を奪われてしまうという不都合がある。
【００２１】
また、物品をそのまま貯蔵する貯蔵室の場合には、小物の物品だけを出し入れしたい場合でも、重い大物の入った大箱８１ｂ２をも一緒に引き出さなければならないので、その都度、重い引出の引き出しや入れ込み操作をしなければならないという不都合がある。
【００２２】
このため、これらの不都合をなくした物品貯蔵庫の提供が望まれているという課題がある。
【課題を解決するための手段】
【００２３】
この発明は、上記のような物品を貯蔵するための引出型の貯蔵室、例えば、貯蔵室８１Ｂを有する物品貯蔵庫１００において、次の構成を設けることにより上記の課題を解決したものである。
【００２４】
そして、第１の構成は、
上記の貯蔵室の前蓋部分を前傾開き動作が可能な扉で構成するとともに、上記の前傾開き動作の操作部分を上記の扉に設けたハンドルに配置する前傾開き操作手段と、
上記の扉の背面の下方側に上記の前傾開き動作の支点を設けるとともに、上記の支点よりも上方の上記の扉の背面と、上記の貯蔵室の引出部分との間に、上記の扉を閉じた状態に保持するためのロック機構を設けるロック機構配置手段と、
上記の操作部分の操作にもとづいて、上記の扉の背面に配置した上記のロック機構のロック解除用部材を動作させることにより上記の保持を解除するロック解除手段と
を設けて構成したものである。
【００２５】
第２の構成は、上記の第１の構成において、
上記の扉の背面に配置した掛け爪を弾力によって上記の引出部分に配置した掛け穴に入れ込むことにより上記の保持を行うとともに、上記の弾力に抗して上記の掛け爪を上記の掛け穴から引き抜くことにより上記の保持を解除する構成の上記のロック機構を設けることによって上記の掛け爪を上記のロック解除用部材とした構成を設けて構成したものである。
【００２６】
第３の構成は、上記の第２の構成において、
上記の掛け爪の背面側に設けた第１の傾斜面により上記の掛け爪を上記の掛け穴に案内するとともに、上記の掛け爪の前面側に設けた第２の傾斜面により上記の掛け爪を上記の掛け穴に入れ込むことにより、上記の弾力によって上記の掛け穴を構成する部材の前面部分を上記の扉の背面部分に押し付けながら上記の保持を行う構成を設けて構成したものである。
【００２７】
第４の構成は、上記の第１の構成において、
上記の扉の背面に配置した移動側フックの鉤部分を弾力によって、上記の引出部分に配置した固定側フックの鉤部分に入れ込むことにより上記の保持を行うとともに、上記の弾力に抗して、上記の移動側フックの鉤部分を上記の固定側フックの鉤部分から離脱させることにより上記の保持を解除する構成の上記のロック機構を設けることによって上記の移動側フックを上記のロック解除用部材とした構成を設けて構成したものである。
【００２８】
第５の構成は、上記の第４の構成において、
上記の移動側フックを逆Ｊ字形フックに形成し、上記の固定側フックをＪ字形フックに形成して、上記のＪ字形フックの前面部分と上記の扉の背面部分との間に抗圧縮性の弾力をもつ弾力用部材を設けることにより、抗圧縮性の弾力によって上記のＪ字形フックの鉤部分を上記の逆Ｊ字形フックの鉤部分に押し付けながら上記の保持を行う構成を設けて構成したものである。
【発明の効果】
【００２９】
この発明によれば、以上のように、引出型の貯蔵室の前蓋部分を前傾開き動作が可能な扉で構成いるため、冷却機能または加温機能を設けた物品貯蔵庫では、前傾開き動作によって、扉の下方側が閉じられた状態で、上方側から物品を出し入れできるので、下方側からの外気の流通を阻止でき、外気による加温や冷却を極度に低減なし得る。
【００３０】
また、物品をそのまま貯蔵する物品貯蔵庫では、頻繁に出し入れする小物を前傾開き可能な扉の背面側に設けた小箱に貯蔵することにより、引出部分全体を引き出さずに小物の出し入れが行えるので、奥の大箱に重い物品を貯蔵している場合でも、それには無関係に、簡単な前傾開きを行うだけで済ませることができる。
【００３１】
さらに、ロック機構８１Ｋを掛け爪・掛け穴による構成または移動側フック・固定側フックによって構成するとともに、ロック解除を掛け穴から掛け爪の引き抜き、または、固定側フックから移動側フックの離脱によって構成にしているため、構成を簡便安価にして提供できる。
【００３２】
また、扉の閉じ状態において、扉と引出部分間に、ガタつきが生じない構成にしているため、ロック機構の動作部分の無駄な摩耗を防止できるほか、ガタつきによる使用者の不快感を無くした物品貯蔵庫を提供することができるなどの特長が得られるという効果がある。
【発明を実施するための最良の形態】
【００３３】
この発明の実施の形態として、この発明を上記の第１従来技術の構成に適用した実施例を説明する。
【実施例１】
【００３４】
以下、図１・図２により第１実施例を説明する。この第１実施例の構成が上記の第１従来技術の構成と異なる箇所は次の箇所である。
【００３５】
第１には、冷蔵室８１Ｂの引出の前蓋８１Ｂ１の部分を、図１のように、背面の下方側を支点ｐ１として、矢印ｍ１のように、上方が前側に傾くようにして開く（この発明において、「前傾開き」という）動作が可能な扉８１Ｂｘにして構成した箇所である。
【００３６】
第２には、支点ｐ１よりも上方にロック機構８１Ｋを扉８１Ｂｘの両脇に、左右対称にして、配置するとともに、グリップハンドル８１ｇ２にロック機構８１Ｋのロックを解除するための操作部分ｗ１をグリップハンドル８１ｇ２に配置した箇所である。
【００３７】
なお、ハンドルが引っ掛けハンドル８１ｈ２の場合には、図７の〔引っ掛けハンドル型〕における前蓋部分８１Ｂ１を上記の扉８１Ｂｘと同様に構成して、その引っ掛けハンドル８１ｈ２に上記の操作部分ｗ１を配置することになるものである。
【００３８】
ここで、ロック機構８１Ｋは、例えば、図２のように、扉８１Ｂｘの背面側に設けられている掛け爪Ｋ１と、引出部分ＤＷ１に設けた案内用のレールＲ３から張り出させた張出部分Ｕ１に設けられている掛け穴Ｋ２とで構成してある。
【００３９】
そして、掛け爪Ｋ１を掛け穴Ｋ２に入れ込んで引っ掛けることにり、扉８１Ｂｘを閉じた状態、すなわち、図２の〔閉じ状態〕のように、角度θ１を０°にした状態に保持するようにロックを行うものである。
【００４０】
また、こうしたロック機構８１Ｋのロックを解除するための操作部分ｗ１は、後記のように、機械的または電気的な解除構成によって、掛け爪Ｋ１を扉８１Ｂｘの中心側に引いて、掛け穴Ｋ２から引き抜く操作を行わせるように構成してある。つまり、ロックを解除することによって、扉８１Ｂｘが角度θ１の前傾開き動作を行えるわけである。ここで、掛け爪Ｋ１はロックを解除するための部材を構成しているので、ロック解除用部材に該当するものである。
【００４１】
そして、こうした前傾開き状態から、扉８１Ｂｘを前傾開き状態から前傾開きを閉じる動作、すなわち、角度θ１を０°になるように回転する動作を行うと、掛け爪Ｋ１の背面側の傾斜面Ｋ１ａが掛け穴Ｋ２の外側部分Ｋ２ａの抵抗力によって押し込められた後に掛け穴Ｋ２に入れ込まれて前傾開きを閉じた状態に保持されることになる。
【００４２】
なお、操作部分ｗ１の配置位置は、好適には、グリップハンドル８１ｇ２または引っ掛けハンドル８２１ｈ２の左右中央位置ｓ１に設けて、左右いずれからでも操作を行い易くするのがよい。ここで、左右中央位置ｓ１とは、貯蔵庫１００の幅Ｂ１の中心付近の位置をいうものである。
【００４３】
第３には、倒れ止め機構８１Ｔを扉８１Ｂｘの両脇に、左右対称にして配置することにより、ロック機構８１Ｋのロックの解除によって、扉８１Ｂｘが前傾開き動作できる限度の角度θ１を規定づけている箇所である。
【００４４】
ここで、倒れ止め機構８１Ｔは、例えば、図２の〔ニ−ニ横断平面〕のように、扉８１Ｂｘ側に設けた移動側の制止部分Ｔ１を、引出部分ＤＷ１側に設けた静止側の制止部分Ｔ２で受け止めるように構成してある。
【００４５】
そして、制止部分Ｔ１は、内側に向けてＬ字形に形成した部分を硬質の材料、例えば、鋼板で構成して扉８１Ｂｘから背面側に張り出した張出部分Ｕ３に設けてある。
【００４６】
また、制止部分Ｔ２は、外側に向けてＬ字形に形成した部分を硬質の材料、例えば、鋼板で構成して引出部分を案内するためのレールＲ３から張り出した張出部分Ｕ２にして設けてある。
【００４７】
なお、上記の支点ｐ１は、例えば、張出部分Ｕ２の下端側に設けた軸受穴ｐ１１と、扉８１Ｂｘの背面側に設けた軸受穴ｐ１２とに、支点用の軸ｐ１３を通して構成してある。
【００４８】
さらに、前傾開き動作を行った際には、図２の〔前傾開き状態〕のように、移動側の制止部分Ｔ１の奥側の先端に設けた上曲部分Ｖ１の上面が、側面側の壁部９０Ａに固定されたローラＲ２の下面に引っ掛けられて、引出動作を制止するように構成した引止機構８１Ｓを設けてある。
【００４９】
したがって、前傾開き動作を行った際には、引止機構８１Ｓによって引出部分ＤＷ１が引き止められて、扉８１Ｂｘの下側が開かないように保持された状態になる。
【００５０】
しかし、使用者の都合により、この状態からでも、引出部分ＤＷ１を更に引き出して、物品を奥の大箱８１ｂ２に物品を出し入れたい場合もあり得る。こうした場合には、多少、力を入れてハンドルを引くと、引止機構８１Ｓの上曲部分Ｖ１がローラＲ２から外されて、引出部分ＤＷ１を前に引き出すことができるようになる。
【００５１】
なお、上曲部分Ｖ１がローラＲ２から外される際には、前傾開きしている角度θ１が、一旦、僅かに小さくなった後に、元の角度θ１に戻るように扉８１Ｂｘが振動するが、この振動量はごく小さいので、貯蔵している物品に対する影響は殆どない。
【００５２】
第４には、扉８１Ｂｘの背面側に添わせて、扉８１Ｂ２が上記の前傾開き動作によって開扉される距離Ｌ１よりも小さい奥行Ｄ３の小箱８１ｂ１を設けた箇所である。
【００５３】
そして、扉８１Ｂｘの前傾開き動作により、扉８１Ｂｘとともに小箱８１ｂ１を前傾させることによって、前傾開きによって開口した上方側から小箱８１ｂ１に物品の出し入れができるように構成したものである。
【００５４】
さらに、必要に応じて、図１の〔ハ−ハ断面〕のように、小箱８１ｂ１の上方側に下向きの溝部分ｎを設けるとともに、この溝部分ｎに入れ込むための差込片ｉを扉８１Ｂｘの背面側に固定することにより、小箱８１ｂ１を上方に引き抜いて取り外せるように構成することができる。
【００５５】
つまり、この第１実施例の構成は、概括的には、上記のような物品を貯蔵するための引出型の貯蔵室、例えば、貯蔵室８１Ｂを有する物品貯蔵庫１００において、
上記の貯蔵室、例えば、貯蔵室８１Ｂの前蓋部分８１Ｂ１を前傾開き動作が可能な扉８１Ｂｘで構成するとともに、上記の前傾開き動作の操作部分ｗ１を上記の扉８１Ｂｘに設けたハンドル、例えば、グリップハンドル８１ｇ２または引っ掛けハンドル８１ｈ２に配置する前傾開き操作手段と、
上記の扉８１Ｂｘの背面の下方側に上記の前傾開き動作の支点ｐ１を設けるとともに、上記の支点よりも上方の上記の扉８１Ｂｘの背面と、上記の貯蔵室８１Ｂの引出部分ＷＤ１との間に、上記の扉８１Ｂｘを閉じた状態に保持するためのロック機構８１Ｋを設けるロック機構配置手段と、
上記の操作部分ｗ１の操作にもとづいて、上記の扉８１Ｂｘの背面に配置した上記のロック機構８１Ｋのロック解除用部材、例えば、掛け爪Ｋ１を動作させることにより上記の保持を解除するロック解除手段と
を設けた上記の第１の構成を構成していることになるものである。
【００５６】
したがって、この上記の第１の構成によれば、例えば、貯蔵室８１Ｂのような引出型の貯蔵室の前蓋部分８１Ｂ１を前傾開き動作できる扉８１Ｂｘにして構成いるため、冷却機能または加温機能を設けた物品貯蔵庫１００では、前傾開き動作によって、扉８１Ｂｘの下方側が閉じられた状態で、上方側から物品を出し入れできるので、下方側からの外気の流通を阻止でき、従来のような外気による加温や冷却を極度に低減なし得るという効果が得られる。
【００５７】
また、物品をそのまま貯蔵する物品貯蔵庫１００では、頻繁に出し入れする小物を扉８１Ｂｘの背面側に設けた小箱８１ｂ１に貯蔵することにより、引出部分ＤＷ１全体を引き出さずに小物の出し入れが行えるので、奥の大箱８１ｂ２に重い物品を貯蔵している場合でも、それに無関係に、簡単な前傾開きを行うだけで済ませることができるという効果が得られる。
【００５８】
そして、前傾開き動作のためのロック機構８１Ｋのロックを解除するための操作部分ｗ１をハンドル、例えば、グリップハンドル８１ｇ２または引っ掛けハンドル８１ｈ２に設けているため、引出動作と前傾開き動作とを同一の部分で操作できるので、使用者が操作を簡便に行えるという効果が得られる。
【００５９】
さらに、上記の操作部分ｗ１の配置をハンドル、例えば、グリップハンドル８１ｇ２または引っ掛けハンドル８１ｈ２の左右中央位置ｓ１に配置しているので、物品貯蔵庫１００の左右いずれ側からでも、物品貯蔵庫１００の左右が囲まれたような狭い場所でも無理な姿勢をすることなく容易に引出動作と前傾開き動作との操作を行えるという効果が得られる。
【実施例２】
【００６０】
以下、図３・図４により第２実施例を説明する。
この第２実施例の構成は上記の第１実施例におけるロック機構８１Ｋ、すなわち、掛け爪Ｋ１・掛け穴Ｋ２による掛け爪型ロック機構を操作部分ｗ１の操作で解除する構成を機械的な機構で行う場合の具体的な構成の実施例である。なお、左側の構成部分は、記載を省略してあるが、右側の部分と対称な構造になっている。また、図３には、小箱８１ｂ１の部分を省略してある。ここで、扉８１Ｂｘと本体の側面側の壁部９０Ａの部分は、断熱性をもたせるために、図３・図４の〔押しボタン・カム機構構成〕のように、外周面の部分を薄い金属板Ｎ２・Ｎ４、例えば、鋼板で形成するとともに、内部に断熱材Ｎ１・Ｎ４、例えば、発泡ポリウレタンなどを充填して構成している。なお、必要に応じて、室内に面する内面側を合成樹脂材で構成している。また、扉８１Ｂｘと本体の側面側の壁部９０Ａとの間には、柔軟材料の部材Ｍ１１ａと磁石体Ｍ１１ｂとで構成したパッキンＭ１１を設けてある。
【００６１】
図３において、操作部分ｗ１は、例えば、四角棒状の押しボタンで構成してあり、グリップハンドル８１ｇ２の左右中央位置ｓ１に設けたグリップハンドル８１ｇ２と扉８１Ｂｘとの間を橋絡した橋絡部分Ｂｒを貫通して、扉８１Ｂｘの中に設けた空洞部分ｒ１内のカム機構Ｋ２０と連結または一体に形成してある。
【００６２】
カム機構Ｋ２０には、左右対称の傾斜面によるカム面Ｋ２０ａを設けてあり、カム面Ｋ２０ａと接して移動する円柱状の移動子Ｋ２１に牽引線Ｋ２２の一端側をかしめ付けなどにより固定してある。なお、カム機構部分Ｋ２０のカム面Ｋ２０ａ側を、例えば、テフロン(登録商標）系統の合成樹脂材で形成するとともに、牽引線Ｋ２２を通す溝部分Ｋ２０ｂを設けて構成し、移動子Ｋ２１を、例えば、ステンレス鋼材で形成することにより、移動子Ｋ２１の滑り移動を容易にしている。
【００６３】
牽引線Ｋ２２は、例えば、細い鋼索、または、ポリアミド樹脂材の捩り合わせ糸、すなわち、商品名ではナイロン捩り糸と言われているものなど形成してあり、保護管Ｋ２３で覆ってある。保護管Ｋ２３は、例えば、螺旋状の鋼線による管状体または鋼線の編み組による管状体を合成樹脂材で被覆したもの、すなわち、合成樹脂被覆管で構成してある。
【００６４】
保護管Ｋ２３の一端側は保持用筒体Ｋ２３ａによって空洞箱部分ｒ１の壁部に嵌め込み、他端側は保持用筒体Ｋ２３ｂによってロック機構８１Ｋの枠体Ｋ２７に嵌め込んで保持している。また、牽引線Ｋ２２の他端側は、抗圧縮性のコイルばねＫ２４の中を通して、移動子Ｋ２５の中に配置した終端子Ｋ２６にかしめ付けなどにより固定してある。
【００６５】
掛け爪Ｋ１は移動子Ｋ２５にかしめ止めなどにより固定するとともに、扉８１Ｂｘの背面側にねじ止めなどにより固定した枠体Ｋ２７の案内筒部分Ｋ２８の中を滑動するように構成してある。移動子Ｋ２５は枠体Ｋ２７の案内筒部分Ｋ２９の中を滑動するとともに、段付部分Ｋ３０で移動を制止することにより、掛け爪Ｋ１の移動を制限している。
【００６６】
したがって、操作部分ｗ１の押しボタンを押すと、カム面Ｋ２０ａの傾斜によって、移動子Ｋ２１がコイルばねＫ２４の弾力に抗して左方向に移動するため、牽引線Ｋ２２が同様に移動するため、ロック機構８１Ｋの掛け爪Ｋ１が左方向に移動して掛け穴Ｋ２から引き抜かれるので、図３の〔ロック解除状態〕のように、ロックが解除されて扉８１Ｂｘが前傾開き動作を行える状態になる。
【００６７】
そして、前傾開き状態から、扉８１Ｂｘを前傾開き状態から前傾開きを閉じる動作、すならち、角度θ１を０°になるように回転する動作を行うと、掛け爪Ｋ１の背面側の傾斜面Ｋ１ａが掛け穴Ｋ２の外側部分Ｋ２ａの抵抗力によって押し込められた後に掛け穴Ｋ２に入れ込まれて前傾開きを閉じた状態に保持されることになる。
【００６８】
ここで、上記の掛け爪Ｋ１は、図４の〔爪面構成〕のように、背面側には第１の傾斜面Ｋ１ａを設け、また、前面側には第２の傾斜面Ｋ１ｂを設けて構成してある。また、第１の傾斜面Ｋ１ａによって、後記のように、掛け爪Ｋ１を掛け穴Ｋ２に案内するとともに、第２の傾斜面Ｋ１ｂによって、後記のように、掛け爪Ｋ１を掛け穴Ｋ２に入れ込むように構成してある。
【００６９】
そして、掛け爪Ｋ１を押しているコイルばねＫ２４の弾力によって、掛け穴Ｋ２を構成する部材Ｕ１ｙ、例えば、張出部分Ｕ１の掛け穴Ｋ１を設けた部分の部材の前面部分Ｕ１ｚを扉８１Ｂｘの背面部分Ｂｚに押し付けながら扉８１Ｂｘを前傾開きを閉じた状態に保持できるようにしてある。なお、この押し付けによって、扉８１Ｂｘの保持が前後にガタつかないようにしている。
【００７０】
つまり、扉８１Ｂｘが前傾開きの状態から前傾開きを閉じた状態に移行する動作は、まず、図４の〔ロック開始状態〕のように、掛け穴Ｋ２を構成する部材Ｕ１ｙに掛け爪Ｋ１の背面側が近付けられた後に、さらに、掛け爪Ｋ１が部材Ｕ１ｙの前面側Ｋ２ａ、すなわち、掛け穴Ｋ２の外側部分に押し付けられた状態（図示せず）になる。
【００７１】
このため、第１の傾斜面Ｋ１ａの傾斜角度によって、掛け爪Ｋ１がコイルばねＫ２４の弾力に抗して押し込められながら内側方向に移動して、図４の〔ロック途中状態  〕のように、部材Ｕ１ｙの前面側Ｋ２ａと内側面Ｕ１ｘとに第１の傾斜面Ｋ１ａが押し付けられながら移動した後に、図４の〔ロック途中状態  〕のように、掛け爪Ｋ１の先端部分Ｋ１ｃが掛け穴Ｋ２の中に入れ込まれるところまで、掛け爪Ｋ１を第１の傾斜面Ｋ１ａによって掛け穴Ｋ２に案内する。
【００７２】
その後は、掛け爪Ｋ１の第２の傾斜面Ｋ１ｂがコイルばねＫ２４の弾力によって掛け穴Ｋ２の中に入れ込まれてゆき、図４の〔ロック状態〕のように、部材Ｕ１ｙの前面側Ｋ２ａが扉８１Ｂｘの背面部分Ｂｚに押し付けられたところで止まり扉８１Ｂｘを閉じ状態を保持することになる。
【００７３】
しかし、その後も、掛け爪Ｋ１はコイルばねＫ２４の弾力によって押されているため、前面側Ｋ２ａが扉８１Ｂｘの背面部分Ｂｚに押圧された状態で扉８１Ｂｘの閉じ状態が保持されるとともに、操作部分ｗ１を操作せずに、グリップハンドル８１ｇ２を手前に引く力を加えたとしても、第２の傾斜面Ｋ１ｂから抜け出せないように、第２の傾斜面Ｋ１ｂの傾斜角度θ１５を設定してある。
【００７４】
上記のような掛け爪Ｋ１の案内動作を行わせるために、第１の傾斜面Ｋ１ａの傾斜角度を、図４の〔爪面構成〕のように、扉８１Ｂｘの移動方向ｍ２に対して、ロック開始付近での案内を行う傾斜角度θ１１を、例えば、６０°程度、途中付近で案内を行う傾斜角度θ１２を、例えば、４０°程度、終わり付近の案内を行う傾斜角度θ１３を、例えば、３０°程度にした円弧面で形成してある。
【００７５】
そして、これらの傾斜角度は、第１の傾斜面Ｋ１ａによって扉８１Ｂｘを閉じる方向の力を分力して得られる掛け爪Ｋ１を引き抜く方向の力が比較的に大きくなるように構成するとともに、コイルばねＫ２４の圧縮量の増加に伴って第１の傾斜面Ｋ１ａに加わる反力が増加するのを避けるために、傾斜角度θ１１・θ１２・θ１３を徐々に小さくするようにして、その反力を平均化させている。なお、第１の傾斜面Ｋ１ａは、そうした反力を考慮せずに、１つの平面状の傾斜面、例えば、傾斜角度４５°程度の平面状の傾斜面にして形成することもできる。
【００７６】
また、第２の傾斜面Ｋ１ｂを、図２の〔爪面構成〕のように、扉８１Ｂｘの移動方向ｍ２に対して、傾斜角度θ１４を、例えば、８０°程度、すなわち、左右方向ｍ３に対して、傾斜角度θ１５を、例えば、１０°程度に形成している。
【００７７】
そして、これら傾斜角度は、第２の傾斜面Ｋ１ｂによってコイルばねＫ２４の弾力を分力して得られる部材Ｕ１ｙの前面部分Ｋ２ａを扉８１Ｂｘの背面部分に押し付ける力をできるだけ大きくするとともに、扉８１Ｂｘを開く方向の力が第２の傾斜面角度θ１５により分力されて掛け爪Ｋ１を引き抜く方向の成分の力になる量をできるだけ小さくするように設定している。
【００７８】
なお、第２の傾斜面Ｋ１ｂは、必要に応じて、大きい曲率の円弧面、例えば、傾斜角度θ１５に対応する角度を、入込側付近では、例えば、１５°程度、途中付近では、例えば、１０°程度、終わり付近では、例えば、８°程度の傾斜をもつ円弧面にして形成することもできる。
【００７９】
つまり、この第２実施例の構成は、概括的には、第１には、上記の第１の構成において、
上記の扉８１Ｂｘの背面に配置した掛け爪Ｋ１を弾力、例えば、コイルばねＫ２４の弾力によって、上記の引出部分ＷＤ１に配置した掛け穴Ｋ２に入れ込むことにより上記の保持、すなわち、扉８１Ｂｘを前傾開きを閉じた状態に保持する保持を行うとともに、上記の弾力、例えば、コイルばねＫ２４の弾力に抗して上記の掛け爪ｋ１を上記の掛け穴Ｋ２から引き抜くことにより上記の保持、すなわち、扉８１Ｂｘを前傾開きを閉じた状態に保持する保持を解除する構成の上記のロック機構８１Ｋを設けることによって上記の掛け爪Ｋ１を上記のロック解除用部材とした上記の第２の構成を構成していることにるものである。
【００８０】
また、第２には、上記の第２の構成において、
上記の掛け爪Ｋ１の背面側に設けた第１の傾斜面Ｋ１ａにより上記の掛け爪Ｋ１を上記の掛け穴Ｋ２に案内するとともに、上記の掛け爪Ｋ１の前面側に設けた第２の傾斜面Ｋ１ｂにより上記の掛け爪Ｋ１を上記の掛け穴Ｋ２に入れ込むことにより、上記の弾力、例えば、コイルばねＫ２４の弾力によって上記の掛け穴Ｋ２を構成する部材Ｕ１ｙの前面部分Ｋ２ａを上記の扉８１Ｂｘの背面部分Ｂｚに押し付けながら上記の保持を行う構成を設けた上記の第３の構成を構成していることになるものである。
【００８１】
したがって、この第２実施例の構成によれば、ロック機構８１Ｋを掛け爪Ｋ１・掛け穴Ｋ２によって構成するとともに、ロック解除を掛け爪Ｋ１を掛け穴Ｋ２から引き抜く構成にしているため、構成を簡便安価にして提供できる。
【００８２】
また、扉８１Ｂｘの前傾開きを閉じて閉じ状態を弾力的に保持しているため、扉８１Ｂｘと引出部分ＷＤ１との間に、ガタつきが生じないので、ロック機構８１Ｋの動作部分の無駄な摩耗を防止できるほか、ガタつきによる使用者の不快感を無くした物品貯蔵庫を提供することができる。
【実施例３】
【００８３】
以下、図５・図６により第３実施例を説明する。この第３実施例の構成が上記の第２実施例と異なる箇所は次の箇所である。
【００８４】
第１には、図５のように、掛け爪型ロック機構によるロック機構８１Ｋに代えて、掛け爪Ｋ１に対応する部分に移動側フックＦ１を配置するとともに、掛け穴Ｋ２に対応する部分に固定側フックＦ２を配置した対向フック型ロック機構８１Ｋを設けることにより、移動側フックＦ１をロック解除用部材として構成した箇所である。
【００８５】
なお、図５において、移動側フックＦ１は、例えば、逆Ｊ字形フックにより形成し、また、固定側フックＦ２は、例えば、Ｊ字形フックにより形成してある。
【００８６】
そして、移動側の逆Ｊ字形フックＦ１の前面側の端部に設けた支点ｐ２を扉８１Ｂｘの背面側に固定した枠体Ｆ２７で支持して、他端側の鉤部分Ｆ１ａを左右に移動可能にするとともに、途中部分に牽引線Ｋ２２の終端子Ｋ２６を組み付けてある。
【００８７】
なお、枠体Ｆ２７は、第２実施例での枠体Ｋ２７に対応する部分であり、枠体Ｆ２７の張出部分Ｆ２７ａで保護覆Ｋ２３の保持用筒体Ｋ２３ｂを保持するとともに、枠体Ｆ２７に設けた保護板Ｆ２７ｃによりコイルばねＫ２４の部分を保護している。
【００８８】
第２には、固定側のＪ字形フックＦ２を、引出部分ＷＤ１のレールＲ３の張出部分Ｕ１に固定、または、張出部分Ｕ１と一体に形成してあり、また、Ｊ字形フックＦ２の前面部分Ｆ２ｂと扉８１Ｂｘの背面部分Ｂｚとの間に、抗圧縮性の弾力をもつ弾力用部材Ｆ３、例えば、ウレタンゴム材の立方体ブロックを配置して構成した箇所である。
【００８９】
なお、弾力用部材Ｆ３は、扉８１Ｂｘの背面部分Ｂｚに適宜の固定方法、例えば、接着または嵌め込みなどによって固定してある。また、図の構成では、弾力用部材Ｆ３を枠体Ｆ２７の取付座部分Ｆ２７ｄを介して扉８１Ｂｘの背面部分Ｂｚに固定してあるが、取付座部分Ｆ２７ｄを除去して、扉８１Ｂｘの背面部分Ｂｚに直接的に固定してもよいものである。
【００９０】
そして、扉８１Ｂｘの前傾開きを閉じた閉じ状態では、固定側のＪ字形フックＦ２の鉤部分Ｆ２ａと移動側の逆Ｊ字形フックＦ１の鉤部分Ｆ１ａとが、図５の〔ロック状態〕のように、あたかも噛み合わされたように、入れ込まれるとともに、弾力用部材Ｆ３の弾力によって、固定側のＪ字形フックＦ２の鉤部分Ｆ２ａを移動側の逆Ｊ字形フックＦ１の鉤部分Ｆ１ａに弾力的に押し付けることにより、扉８１Ｂｘの閉じ状態の保持が前後にガタつかないようにしている。
【００９１】
この状態で、操作部分ｗ１を操作して、牽引線Ｋ２２を牽引することにより、移動側の逆Ｊ字形フックＦ１の鉤部分Ｆ１ａを右方向に移動させると、図５の〔ロック解除状態〕のように、鉤部分Ｆ２ａが鉤部分Ｆ１ａから離脱して、扉８１Ｂｘを前傾開き動作を行える状態になる。
【００９２】
つまり、扉８１Ｂｘが前傾開きの状態から前傾開きを閉じた状態に移行する動作は、まず、図６の〔ロック開始状態〕のように、固定側のＪ字形フックＦ１の前面側Ｆ２ａに移動側の逆Ｊ字形フックＦ１の背面側Ｆ１ｂが近付けられた後に、さらに、逆Ｊ字形フックＦ１の背面側Ｆ１ｂがＪ字形フックＦ２の傾斜面Ｆ２ｃに押し付けられて、図６の〔ロック途中状態  〕のような状態になる。
【００９３】
このため、逆Ｊ字形フックＦ１の背面側Ｆ１ｂがＪ字形フックＦ２の傾斜面Ｆ２ｃにより、コイルばねＫ２４の弾力に抗して、内側方向、すなわち、左方向に移動させられて、図６の〔ロック途中状態  〕のように、逆Ｊ字形フックＦ１の鉤部分Ｆ１ａがＪ字形フックＦ２の内側の側面Ｆ２ｄによって案内される状態になる。
【００９４】
次いで、逆Ｊ字形フックＦ１の鉤部分Ｆ１ａがＪ字形フックＦ２の鉤部分Ｆ２ａと対向する位置に来ると、コイルばねＫ２４の弾力によって、図６の〔ロック途中状態  〕のように、逆Ｊ字形フックＦ１の鉤部分Ｆ１ａがコイルばねＫ２４の弾力によって、逆Ｊ字形フックＦ１の鉤部分Ｆ１ａがＪ字形フックＦ２の鉤部分Ｆ２ａ側に入り込んだ位置になる。
【００９５】
しかし、実際には、弾力用部材Ｆ３の弾力によって、鉤部分Ｆ１ａ・Ｆ２ａの高さＨ１の分だけ押し戻れるので、逆Ｊ字形フックＦ１の鉤部分Ｆ１ａがＪ字形フックＦ２の鉤部分Ｆ２ａに、あたかも噛み込み合わされるように入れ込まれて、図５の〔ロック状態〕のようになる。
【００９６】
そして、その後も、弾力用部材Ｆ３の弾力が、Ｊ字形フックＦ２の鉤部分Ｆ２ａを移動側の逆Ｊ字形フックＦ１の鉤部分Ｆ１ａに弾力的に押し付けているので、扉８１Ｂｘの閉じ状態の保持が前後にガタつかないことになる。
【００９７】
上記のような鉤部分Ｆ１ａと鉤部分Ｆ２ａとの入れ込み動作と、離脱動作とを押しボタンとカム機構Ｋ２０によって無理無く円滑に行わせるには、好適には、図６の〔鉤面構成〕のように、入れ込み状態での鉤部分Ｆ１ａと鉤部分Ｆ２ａとの接触点Ｆｐにおける接触面の接線方向Ｆｚを、支点ｐ２を中心にして支点ｐ２から接触点Ｆｐまでの距離を半径Ｒ１１とする円弧Ｒｄの接線方向Ｆｓに対して、＋側に角度θ６、例えば、０〜２０°程度の範囲になるように設定して構成する。
【００９８】
つまり、この第３実施例の構成は、概括的には、第１には、上記の第１の構成
において、
上記の扉８１Ｂｘの背面に配置した移動側フック、例えば、逆Ｊ字形フックＦ１の鉤部分Ｆ１ａを弾力、例えば、コイルばねＫ２４の弾力によって、上記の引出部分ＷＤ１に配置した固定側フック、例えば、Ｊ字形フックＦ２の鉤部分Ｆ２ａに、例えば、あたかも噛み合わせるように、入れ込むことにより上記の保持、すなわち、扉８１Ｂｘを前傾開きを閉じた状態に保持する保持を行うとともに、上記の弾力、例えば、コイルばねＫ２４の弾力に抗して、上記の移動側フック、例えば、逆Ｊ字形フックＦ１の鉤部分Ｆ１ａを上記の固定側フック、例えば、Ｊ字形フックＦ１の鉤部分Ｆ１ａから離脱させることにより上記の保持、すなわち、扉８１Ｂｘを前傾開きを閉じた状態に保持する保持を解除する構成の上記のロック機構８１Ｋを設けることによって上記の移動側フック、例えば、逆Ｊ字形フックＦ１を上記のロック解除用部材とした上記の第４の構成を構成していることになるものである。
【００９９】
また、第２には、上記の第４の構成において、
上記の移動側フックを逆Ｊ字形フックＦ１に形成し、上記の固定側フックをＪ字形フックＦ２に形成して、上記のＪ字形フックＦ２の前面部分Ｆ２ｂと上記の扉８１Ｂｘの背面部分Ｂｚとの間に抗圧縮性の弾力をもつ弾力用部材Ｆ３を設けることにより、上記の抗圧縮性の弾力によって上記のＪ字形フックＦ１の鉤部分Ｆ１ａを上記の逆Ｊ字形フックＦ２の鉤部分Ｆ２ａに押し付けながら上記の保持、すなわち、扉８１Ｂｘを前傾開きを閉じた状態に保持する保持を行う構成を設けた上記の第５の構成を構成していることになるものである。
【０１００】
したがって、この第３実施例の構成によれば、ロック機構８１Ｋを移動側フック、例えば、逆Ｊ字形フックＦ１と固定側フック、例えば、Ｊ形フックＦ２とによって構成するとともに、ロック解除を移動側フック、例えば、逆Ｊ字形フックＦ１を固定側フック、例えば、Ｊ形フックＦ２から離脱させる構成にしているため、構成を簡便安価にして提供できる。
【０１０１】
また、上記の第２実施例の構成と同様に、扉８１Ｂｘの前傾開きを閉じて閉じ状態にしているときに、扉８１Ｂｘと引出部分ＷＤ１との間に、ガタつきが生じないので、ロック機構８１Ｋの動作部分の無駄な摩耗を防止できるほか、ガタつきによる使用者の不快感を無くした物品貯蔵庫を提供することができる。
【０１０２】
なお、この第３実施例の構成の場合には、鉤部分Ｆ１ａが鉤部分Ｆ２ａに入れ込まれているため、前傾開き動作を閉じた閉じ状態で、ハンドル、例えば、グリップハンドル８１ｇ２または引っ掛けハンドル８１ｈ２を手前に引いて引出部分ＷＤ１を引き出す動作を行った場合に、引出部分ＷＤ１に相当に重い物品が入っていた場合でも、上記の第２実施例の構成に比べて、ロック機構８１Ｋのロックが外れることがない。
【０１０３】
上記の第１の構成〜第５の構成は、物品をそのまま貯蔵する貯蔵庫に適用した場合にも、上記の第１の構成〜第５の構成について述べた各特長がそのまま同様に得られることは言うまでもない。
【産業上の利用可能性】
【０１０４】
この発明は次のように変形して実施することを含むものである。
【０１０５】
（１）図３・図５の構成におけるカム機構Ｋ２０と牽引線Ｋ２２による機械的なロック解除構成の部分を、電気的なロック解除構成を変更して構成する。
（２）上記（１）の構成において、操作部分ｗ１を押しボタンで動作される電気スイッチ、例えば、マイクロスイッチを設けるとともに、電磁コイルによって移動動作する磁性材のアクチェータにより掛け爪Ｋ１または逆Ｊ字形フックＦ１を牽引するように構成する。
（３）単一の貯蔵室を設けた物品貯蔵庫１００に上記の前傾開き動作を行う構成を適用して構成する。
（４）複数の貯蔵室を設けた物品貯蔵庫１００の１つの貯蔵室または任意の複数の貯蔵室に上記の前傾開き動作を行う構成を適用して構成する。
【図面の簡単な説明】
【０１０６】
【図１】この発明の実施例の全体構成外観斜視・要部縦断側面図である。
【図２】この発明の実施例の要部構成縦断側面図である。
【図３】この発明の実施例の要部構成横断平面図である。
【図４】この発明の要部構成横断平面図である。
【図５】この発明の要部構成横断平面図である。
【図６】この発明の実施例の要部構成横断平面図である。
【図７】従来技術の全体構成外観斜視図である。
【図８】従来技術の全体縦断側面図である。
【図９】従来技術の要部構成縦断側面図である。
【図１０】従来技術の全体構成縦断側面図である。
【図１１】従来技術の全体構成外観斜視・要部縦断側面図である。
【符号の説明】
【０１０７】
２１  冷却器
２２  冷却器
６１  送風機
６２  送風機
８１Ａ  貯蔵室
８１Ａ１  開閉扉
８１Ｂ  貯蔵室
８１Ｂ１  前蓋
８１Ｂｘ  扉
８１Ｋ  ロック機構
８１Ｔ  倒れ止め機構
８１Ｓ  引止機構
８１ｂ１  小箱
８１ｂ２  大箱
８１ｈ１  引っ掛けハンドル
８１ｈ２  引っ掛けハンドル
８２Ａ  貯蔵室
８２Ａ１  前蓋
８２Ｂ  貯蔵室
８２Ｂ１  前蓋
８２ｇ１  グリップハンドル
８２ｇ２  グリップハンドル
８２ｈ１  引っ掛けハンドル
８２ｈ２  引っ掛けハンドル
９０  本体（断熱外箱）
９０Ａ  側面側壁部
９１  仕切壁部分
９１Ａ  仕切壁部分
９２Ａ  仕切壁部分
１００  物品貯蔵庫
Ｂ１  幅
Ｂｒ  橋絡部分
Ｂｚ  背面部分
Ｄ１  奥行
Ｄ２  奥行
Ｄ３  奥行
ＤＷ１  引出部分
Ｆ１  移動側フック（逆Ｊ字形フック）
Ｆ１ａ  鉤部分
Ｆ１ｂ  背面側
Ｆ２  固定側フック（Ｊ字形フック）
Ｆ２ａ  鉤部分
Ｆ２ｂ  前面部分
Ｆ２ｃ  傾斜面
Ｆ２ｄ  側面
Ｆ３  弾力用部材
Ｆ２７  枠体
Ｆ２７ａ  張出部分
Ｆ２７ｂ  取付座部分
Ｆ２７ｃ  保護板
Ｆｐ  接触点
Ｆｓ  接線方向
Ｆｚ  接線方向
Ｈ１  高さ
ｉ  差込片
Ｋ１  掛け爪
Ｋ１ａ  背面側傾斜面
Ｋ１ｂ  前面側傾斜面
Ｋ１Ｃ  先端部分
Ｋ２  掛け穴
Ｋ２ａ  外側部分（前面側）
Ｋ２０  カム機構
Ｋ２０ａ  カム面
Ｋ２１  移動子
Ｋ２２  牽引線
Ｋ２３  保護管
Ｋ２３ａ  保持用筒体
Ｋ２３ｂ  保持用筒体
Ｋ２４  コイルばね
Ｋ２５  移動子
Ｋ２６  終端子
Ｋ２７  枠体
Ｋ２８  案内筒部分
Ｋ２９  案内筒部分
Ｋ３０  段付部分
Ｌ１  距離
ｍ１  前傾開き方向
ｍ２  移動方向
ｎ  溝部分
ｐ１  支点
ｐ２  支点
ｐ１１  軸受穴
ｐ１２  軸受穴
ｐ１３  軸
Ｒ１  レール溝
Ｒ２  ローラ
Ｒ３  レール
Ｒ４  ローラ
Ｒ１１  半径
Ｒｄ  円弧
ｒ１  空洞部分
ｓ１  左右中央位置
Ｔ１  移動側制止部分
Ｔ２  静止側制止部分
Ｕ１  張出部分
Ｕ１ｘ  内側面
Ｕ１ｙ  掛け穴部材
Ｕ２  張出部分
Ｕ３  張出部分
Ｖ１  上曲部分
ｗ１  操作部分
θ１  角度
θ６  角度
θ１１  傾斜角度
θ１２  傾斜角度
θ１３  傾斜角度
θ１４  傾斜角度
θ１５  傾斜角度
【図１】
2005049031.tif 000003
【図２】
2005049031.tif 000004
【図３】
2005049031.tif 000005
【図４】
2005049031.tif 000006
【図５】
2005049031.tif 000007
【図６】
2005049031.tif 000008
【図７】
2005049031.tif 000009
【図８】
2005049031.tif 000010
【図９】
2005049031.tif 000011
【図１０】
2005049031.tif 000012
【図１１】
2005049031.tif 000013